(57)【要約】      （修正有）【課題】被検眼画像を撮像するために被検眼に投光される照明光の光量を調節し易い眼科装置を提供する。【解決手段】光源１１から出射される照明光を被検眼に向けて投光する投光光学系１０ａと、照明光の被検眼Ｅによる反射光を受光素子５２で受光して被検眼画像を撮像する撮像光学系５０とを備える。制御部１００は、照明光の光量を制御する。また、制御部１００は、照明光の被検眼Ｅによる反射光に基づいて照明光の光量を自動的に増減させる自動調光モードと、検者からの指示に基づいて照明光の光量を増減させる手動調光モードとに、制御モードを切り替える。制御モードが自動調光モードから手動調光モードへと切り替わる場合に、制御部１００は、自動調光モードにおいて投光光学系１０ａから投光される照明光の光量を、手動調光モードにおける照明光の光量の初期値に引き継ぐ。【選択図】図２
2014195617.tif 000002
【特許請求の範囲】
【請求項１】
光源から出射される照明光を被検眼に向けて投光する投光光学系と、
前記投光光学系から投光される照明光の被検眼による反射光を受光素子で受光することによって被検眼画像を撮像する撮像光学系と、
前記投光光学系から投光される照明光の光量を制御する光量制御手段と、
前記投光光学系から投光される照明光の被検眼による反射光に基づいて前記照明光の光量を自動的に増減させる第１モードと、検者からの指示に基づいて前記照明光の光量を増減させる第２モードと、に前記光量制御手段の制御モードを切り替えるモード切替手段と、を備え、
前記光量制御手段は、前記モード切替手段によって前記光量制御手段の制御モードが前記第１モードから前記第２モードへと切り替えられる場合に、切り替え前の前記第１モードにおいて前記投光光学系から投光される照明光の光量を、切り替え後の前記第２モードにおいて前記投光光学系から投光される照明光の光量の初期値に引き継ぐことを特徴とする眼科装置。
【請求項２】
前記投光光学系から投光される照明光の光量を示す光量情報を表示手段に表示させる表示制御手段を備えていることを特徴とする請求項１記載の眼科装置。
【請求項３】
前記撮像光学系は、被検眼画像として被検眼の徹照像を撮像し、
前記光量制御手段は、制御モードが前記モード切替手段によって前記第１モードに切り替えられている場合において、前記撮像光学系からの照明光が被検眼の瞳孔外に照射されているときは、前記照明光が被検眼の瞳孔内に照射されているときよりも、前記投光光学系から投光される照明光の光量を減少させ難くすることを特徴とする請求項１又は２記載の眼科装置。
【請求項４】
前記撮像光学系は、被検眼画像として被検眼の徹照像を撮像し、
前記光量制御手段は、制御モードが前記モード切替手段によって第１モードに切り替えられている場合において、前記撮像光学系からの照明光が照射され前記撮像光学系の光軸近傍に位置する領域からの前記照明光の反射光の受光結果に応じて、前記投光光学系から投光される照明光の光量を増減させることを特徴とする請求項１から３の何れかに記載の眼科装置。
【発明の詳細な説明】
【技術分野】
【０００１】
本発明は、被検眼を撮像する眼科装置に関する。
【背景技術】
【０００２】
従来から、照明光源から出射される照明光の被検眼による反射光を受光素子に受光させることによって被検眼の画像を撮像する眼科装置が知られている。例えば、特許文献１には、光源（特許文献１では、眼底用照明光源と記載）から出射される照明光の光量を、自動および手動のいずれかの方法で設定できる眼底カメラが記載されている。特許文献１によれば、光路に挿入されるフィルタの種類に応じて照明光の光量が自動調節される。一方、光の光量の手動調節は、様々な光量に各々対応する複数の入力釦の中から、検者の所期する光量に対応する入力釦が操作されることによって行われる。
【先行技術文献】
【特許文献】
【０００３】
【特許文献１】特開平７−２５５６７９号公報
【発明の概要】
【発明が解決しようとする課題】
【０００４】
被検眼に投光される照明光の光量が自動的に調節される場合に、被検眼に照射される照明光の光量が、必ずしも検者の所期する光量になるとは限らない。そこで、照明光の光量が一旦、自動的に調節されてから、更に、検者が手動で照明光の光量を調節する場合がある。しかし、特許文献１記載の眼底カメラに例示されるように、従来は、予め自動的に照明光の光量が調節されていたとしても、その光量を、手動で照明光の光量を調節する際に利用できなかった。このため、照明光の光量が事前に自動で調節されていたか否かに拘わらず、手動で照明光の光量を調節する場合は、検者が一から調節を行っていた。よって、照明光の光量を調節するための操作が、検者にとって大きな負担となってしまう場合があった。
【０００５】
本発明は、上記従来技術の問題点に鑑みてなされたものであり、被検眼画像を撮像するために被検眼に投光される照明光の光量を調節し易い眼科装置を提供することを目的としている。
【課題を解決するための手段】
【０００６】
本発明の眼科装置は、光源から出射される照明光を被検眼に向けて投光する投光光学系と、前記投光光学系から投光される照明光の被検眼による反射光を受光素子で受光することによって被検眼画像を撮像する撮像光学系と、前記投光光学系から投光される照明光の光量を制御する光量制御手段と、前記投光光学系から投光される照明光の被検眼による反射光に基づいて前記照明光の光量を自動的に増減させる第１モードと、検者からの指示に基づいて前記照明光の光量を増減させる第２モードと、に前記光量制御手段の制御モードを切り替えるモード切替手段と、を備え、前記光量制御手段は、前記モード切替手段によって前記光量制御手段の制御モードが前記第１モードから前記第２モードへと切り替えられる場合に、切り替え前の前記第１モードにおいて前記投光光学系から投光される照明光の光量を、切り替え後の前記第２モードにおいて前記投光光学系から投光される照明光の光量の初期値に引き継ぐことを特徴とする。
【発明の効果】
【０００７】
本発明の眼科装置によれば、被検眼画像を撮像するために被検眼に投光される照明光の光量を、容易に調節することができる。
【図面の簡単な説明】
【０００８】
【図１】眼科装置の外観を示す図である。
【図２】眼科装置の測定部が有する光学系および眼科装置の制御系を示した概略構成図である。
【図３】モニタに表示される徹照像を模式的に示した模式図である。
【図４】眼科装置のＣＰＵで実行される自動調光処理を示したフローチャートである。
【図５】眼科装置のＣＰＵで実行される第１調節処理を示したフローチャートである。
【図６】領域Ｂｉおよび領域Ｂｏの設定範囲を示した説明図である。
【図７】眼科装置のＣＰＵで実行される第２調節処理を示したフローチャートである。
【図８】眼科装置のＣＰＵで実行される手動調光処理を示したフローチャートである。
【発明を実施するための形態】
【０００９】
以下、図面を参照しつつ、本発明の一実施形態である眼科装置１について説明する。まず、図１を参照して、眼科装置の外観構成を説明する。眼科装置１は、被検眼の瞳孔内画像（いわゆる徹照像）を観察するための眼科機器である。本実施形態において、眼科装置１は、徹照像の撮影が可能なオートレフラクトメータであるものとして説明する。眼科装置１は、基台２と、顔支持ユニット４と、移動台６と、駆動機構７と、測定部８と、ジョイスティック９と、モニタ７０と、操作部９０と、を備える。
【００１０】
基台２の上には、移動台６が支持されている。また、基台２には、顔支持ユニット４が固定されている。顔支持ユニット４は、図１に示すように、被検眼を測定部に対向させた状態で被験者の顔を支持するためのユニットである。
【００１１】
移動台６は、駆動機構７を介して測定部８を支持するものである。移動台６は、駆動機構７および測定部８と共に、基台２上を、左右方向（Ｘ方向）及び前後方向（Ｚ方向）に移動可能に構成される。駆動機構７は、測定部８を、少なくとも上下方向（Ｙ方向）に移動させるための機構である。駆動機構７は、測定部８を移動させるために、モータ等を有している。
【００１２】
また、移動台６には、検者からの操作を受け付けるジョイスティック９が設けられている。検者によってジョイスティック９が倒されることによって、測定部８を支持する移動台６が移動される。また、検者によってジョイスティック９の回転ノブ９ａが回転操作されることによって、測定部８が、駆動機構７によって上下方向（Ｙ方向）に移動される。このように、眼科装置１は、ジョイスティック９の操作によって、被検眼Ｅと測定部８とを手動で位置あわせすることができる。ジョイスティック９に設けられたプッシュボタン９ｂは、モニタ７０に表示される徹照像を取り込む場合に操作される。
【００１３】
測定部８には、被検眼Ｅの観察像を撮影したり、被検眼Ｅの眼屈折力等を測定したりするための光学系が格納されている。この光学系の詳細については、図２を参照して後述する。
【００１４】
モニタ７０は、測定部８によって撮影された被検眼Ｅの観察像および測定部８による被検眼Ｅの測定結果等、の各種情報を表示するディスプレイである。また、操作部９０には、眼科装置１の各種設定を行うためのスイッチが複数配置されている。操作部９０に設けられた各種スイッチについては、図２を参照して後述する。
【００１５】
次に、図２を参照して、眼科装置１の測定部８が有する光学系および眼科装置１の制御系について説明する。まず、眼科装置１の光学系について説明する。眼科装置１は、主な光学系として、測定光学系１０と、固視標呈示光学系３０と、リング指標投影光学系４５と、作動距離指標投影光学系４６と、観察光学系（撮像光学系）５０と、を有している。
【００１６】
測定光学系１０は、投影光学系（投光光学系）１０ａと、受光光学系１０ｂと、を有している。投影光学系１０ａは、被検眼Ｅの瞳孔を介して被検眼Ｅの眼底Ｅｆに光束を投影するための光学系である。また、受光光学系１０ｂは、眼底Ｅｆから反射された眼底反射光を、瞳孔周辺部を介してリング状に取り出し、主に眼屈折力の測定に用いるリング状の眼底反射像を撮像するための光学系である。
【００１７】
投影光学系１０ａは、測定光学系１０の光軸Ｌ１上に配置された、測定光源１１と、リレーレンズ１２と、ホールミラー１３と、対物レンズ１４と、を含む。
【００１８】
光源１１は、被検眼Ｅの瞳孔中心部を介して眼底Ｅｆにスポット状の測定視標を投影するための光源である。光源１１は、正視眼の眼底Ｅｆと光学的に共役な位置関係となっている。本実施形態では、光源１１は、ＳＬＤ（Super Luminescent Diode）であるものとして説明するが、これに代えて、例えばＬＥＤ（Light Emitting Diode）等を用いることもできる。
【００１９】
また、本実施形態において、光源１１は、被検眼Ｅの徹照像を撮影するための照明光源としても用いられる。即ち、光源１１から出射された光束（照明光）の眼底反射光によって、被検眼Ｅの瞳孔内が照明される。
【００２０】
ホールミラー１３は、リレーレンズ１２を介した光源１１からの光束を通過させる開口が設けられている。ホールミラー１３は、眼Ｅの瞳孔と光学的に共役な位置関係となっている。
【００２１】
受光光学系１０ｂは、投影光学系１０ａのホールミラー１３と、対物レンズ１４と、を投影光学系１０ａと共用している。また、受光光学系１０ｂは、リレーレンズ１６と、全反射ミラー１７と、受光絞り１８と、コリメータレンズ１９と、リングレンズ２０と、二次元撮像素子２２（以下、「撮像素子２２」と称す）と、を含む。
【００２２】
リレーレンズ１６は、ホールミラー１３の反射方向の光軸Ｌ２上に配置される。受光絞り１８は、眼底Ｅｆと光学的に共役な位置であって、全反射ミラー１７の反射方向の光軸Ｌ２上に配置される。リングレンズ２０は、眼底反射光をリング状に整形するための光学素子である。リングレンズ２０は、リング状に形成されたレンズ部と、レンズ部以外の領域に遮光用のコーティングを施した遮光部と、を有している。また、リングレンズ２０は、被検眼Ｅの瞳孔と光学的に共役な位置関係となっている。リングレンズ２０を介したリング状の眼底反射光（即ち、二次元パターン像）は、撮像素子２２で受光される。撮像素子２２は、眼底Ｅｆと光学的に共役な位置に配置される。撮像素子２２は、受光した二次元パターン像の画像情報を、演算制御部１００（以下、制御部１００と称す）に出力する。これによって、二次元パターン像をモニタ７０に表示させたり、二次元パターン像に基づいて被検眼Ｅの屈折力を算出させたりすることが可能となる。なお、撮像素子２２としては、エリアＣＣＤ等の受光素子を用いることができる。
【００２３】
なお、測定光学系１０は上記のものに限らず、被検眼眼底Ｅｆに向けて測定光を投光する投光光学系と、測定光の眼底Ｅｆでの反射によって取得される反射光を受光素子によって受光する受光光学系と、を有する測定光学系であればよい。例えば、眼屈折力測定光学系は、シャックハルトマンセンサーを備えた構成であってもよい。もちろん、他の測定方式の装置が利用されてもよい（例えば、スリットを投影する位相差方式の装置）。
【００２４】
対物レンズ１４とホールミラー１３との間には、ビームスプリッタ２９が配置されている。ビームスプリッタ２９は、後述の固視標呈示光学系３０からの光束を被検眼Ｅに導き、被検眼Ｅの前眼部Ｅｃからの反射光を観察光学系５０に導く。また、ビームスプリッタ２９は、光源１１から出射され、眼底Ｅｆで反射された眼底反射光の一部を反射し、観察光学系５０へ導くと共に、他の眼底反射光を透過し、受光光学系１０ｂへと導く。なお、詳細は後述するが、光源１１による眼底反射光のうち、観察光学系５０へ導かれた光束は、徹照像を撮影するために用いられる。
【００２５】
固視標呈示光学系３０は、被検眼Ｅを固視させるための固視光学系である。固視標呈示光学系３０は、可視光源３１と、固視標を持つ固視標板３２と、投光レンズ３３と、ビームスプリッタ２９と、対物レンズ１４と、を含む。可視光源３１が点灯されることで、個視標板３２が有する固視標が、被検眼Ｅに呈示される。可視光源３１及び固視標板３２は、図示しないスライド機構によって、光軸Ｌ３方向に移動可能に構成されている。可視光源３１及び固視標板３２が光軸Ｌ３方向に移動されることによって、被検眼Ｅの雲霧が行われる。
【００２６】
被検眼Ｅの前眼部の前方には、リング指標投影光学系４５と、作動距離指標投影光学系４６とが配置されている。リング指標投影光学系４５は、被検眼Ｅの角膜Ｅｃに対してリング指標を投影するための近赤外光を発する光学系である。なお、角膜Ｅｃに投影するリング指標は、角膜形状測定用の指標としても利用できる。また、リング投影光学系４５は、被検眼Ｅの前眼部を照明する前眼部照明としても用いることもできる。一方、作動距離指標投影光学系４６は、被検眼Ｅの角膜Ｅｃに無限遠指標を投影するための近赤外光を発する光学系である。角膜Ｅｃに対する無限遠指標の位置に基づいて、検者は、被検眼Ｅに対する検眼装置１の位置をアライメントすることができる。
【００２７】
観察光学系（撮像光学系）５０は、対物レンズ１４と、ビームスプリッタ２９と、を固視標呈示光学系３０と共用している。また、観察光学系５０は、ハーフミラー３５と、撮像レンズ５１と、二次元撮像素子５２（以下、「撮像素子５２」と称す）と、を含む。撮像素子５２は、被検眼Ｅの前眼部と略共役な位置に配置された撮像面を持つ受光素子である。この撮像素子５２によって、被検眼Ｅの前眼部画像が撮像される。前眼部画像の一種である徹照像も、撮像素子５２によって撮像される。撮像素子５２からの出力は、制御部１００に入力される。その結果、撮像素子５２によって撮像される被検眼Ｅの前眼部像が、モニタ７０上に表示される。なお、本実施形態では、観察光学系５０が、作動距離指標投影光学系４６によって被検眼Ｅの角膜に形成されるアライメント指標像を検出する光学系を兼ねている。撮像素子５２によるアライメント指標像の撮像結果に基づいてアライメント指標像の位置が検出される。
【００２８】
次に、検眼装置１の制御系について説明する。検眼装置１は、主な制御系として、制御部１００を有している。制御部１００は、検眼装置１の各部の制御処理と、測定結果の演算処理とを行う電子回路を有する処理装置である。制御部１００は、光源１１，３１、撮像素子２２，５２、移動台６および駆動機構７、ジョイスティック９、モニタ７０、操作部９０、フラッシュメモリ１０５のそれぞれに電気的に接続されている。
【００２９】
制御部１００は、ＣＰＵ１０１と、ＲＯＭ１０２と、ＲＡＭ１０３とを備えている。ＣＰＵ１０１は、眼科装置１に関する各種の処理を実行するための処理装置である。ＲＯＭ１０２は、ＣＰＵ１０１が眼科装置１の各種制御を行うための制御プログラムおよび固定データが格納された、不揮発性の記憶装置である。
【００３０】
ＲＡＭ１０３は、書き換え可能な揮発性の記憶装置である。ＲＡＭ１０３には、例えば、眼科装置１による被検眼Ｅの測定および撮影に用いる一時データが格納される。
【００３１】
また、フラッシュメモリ１０５は、書き換え可能な不揮発性の記憶装置である。フラッシュメモリ１０５には、徹照像を観察する際に光源１１から出射される照明光の光量を調節する処理（図４，図５，図７，図８参照）を、制御部１００に実行させるためのプログラムが少なくとも格納されている。
【００３２】
また、前述したように、操作部９０には、検者の操作を受け付けるためのスイッチが複数設けられている。本実施形態の眼科装置１には、例えば、測定モード切替スイッチ９０ａ、光量調節モード切替スイッチ９０ｂ、光量増加スイッチ９０ｃ、および、光量減少スイッチ９０ｄが、操作部９０に設けられている。
【００３３】
測定モード切替スイッチ９０ａは、制御部１００で行われる制御を、眼屈折力測定モードと、徹照像観察モードとに切り替えるスイッチである。眼屈折力測定モードは、被検眼Ｅの屈折力を測定する制御モードである。また、徹照像観察モードは、被検眼Ｅの徹照像を撮像する制御モードである。光量調節モード切替スイッチ９０ｂは、徹照像観察モードにおける制御部１００の制御を、自動調光モードと、手動調節モードと、に切り替えるためのスイッチである。自動調光モードは、光源１１から出射される光量を、自動で調節するモードである。手動調節モードは、スイッチ９０ｃ，９０ｄの操作に基づいて光源１１からの光量を調節するモードである。光量増加スイッチ９０ｃは、手動調節モードにおいて、光源１１からの光量を増大させるために操作されるスイッチである。また、光量減少スイッチ９０ｄは、手動調節モードにおいて、光源１１からの光量を減少させるために操作されるスイッチである。
【００３４】
＜眼屈折力測定モード＞
以上のような構成を備える装置の測定動作について説明する。まず、被検者の顔を顔支持ユニット４に固定させ、検者から被験者に対して固視標板３２の固視標を固視するよう指示する。その後、検者によって、被検眼Ｅに対する測定部８のアライメントが行われる。
【００３５】
被検眼Ｅに対する測定部８のアライメント完了後、制御部１００は、測定開始信号の入力に基づき光源１１を点灯させる。これにより、光源１１から出射される光束の眼底反射光が、撮像素子２２で受光される。撮像素子２２で受光される眼底反射光に基づき、制御部１００では、被検眼Ｅの眼屈折値Ｓ（球面度数）、Ｃ（柱面度数）、Ａ（乱視軸角度）の各値が演算される。演算結果は、制御部１００によってモニタ７０に出力される。その結果、Ｓ（球面度数）、Ｃ（柱面度数）、Ａ（乱視軸角度）の各値がモニタ７０に表示される。
【００３６】
＜徹照像観察モード＞
操作部９０のモード切替スイッチ９０ａの操作に基づいて、眼科装置１の制御が、観察光学系５０により徹照像を観察するための徹照像観察モードに移行される。なお、眼屈折力測定モードにおいて、被検眼Ｅの眼屈折値が算出された後に、制御部１００の制御を、自動で徹照像観察モードに移行させてもよい。
【００３７】
操作部９０のスイッチ９０ａが操作されると、モード切替信号が制御部１００に入力される。この入力を契機に、眼科装置１の制御が徹照像観察モードに移行される。徹照像観察モードにおいて、まず、制御部１００は、リング指標投影光学系４５の光源及び作動距離指標投影光学系４６の光源を消灯させ、光源１１を点灯させる。本実施例の場合、光源１１は、眼屈折力測定用の測定光源と、徹照像撮影用の照明光源とを兼ねているが、光源１１とは別途、徹照像撮影用の光源を設けてもよい。
【００３８】
光源１１から眼底Ｅｆに向けて出射された光束は、眼底Ｅｆにて反射される。眼底反射光は、被検眼Ｅの水晶体を介して、瞳孔から出射される。このとき、被検眼Ｅの中間透光体が眼底反射光によって照明される。瞳孔から出射された眼底反射光は、ビームスプリッタ２９、ハーフミラー３５の各々で反射され、光軸Ｌ４上に配置された撮像素子５２によって受光される。これにより、徹照像（瞳孔内画像）を含んだ画像が撮像素子５２に撮像される。撮像素子５２に撮像された画像は、制御部１００を介してモニタ７０に出力される。これにより、モニタ７０に徹照像が表示される。
【００３９】
ここで、図３を参照して、モニタ７０に表示される徹照像について説明する。図３に示すバツ印Ａｘは、眼科装置１の観察光軸の通過位置（以下、「光軸通過位置Ａｘ」と称す）を示す。本実施形態においては、光源１１からの照明光は、観察光軸に重なるように照射される。このため、図３に示すように、光軸通過位置Ａｘが瞳孔内に位置していれば、照明光の眼底反射光によって瞳孔内が照明されるので、周囲と比べて瞳孔内が明るく照明された画像が表示される。図３に示すように、白内障等による混濁がある部位Ｋ（以下、「混濁部位Ｋ」と称す）においては、暗い影が確認される。このとき、混濁部位Ｋにピントが合っておらず、混濁部位Ｋの影がぼやけている場合がある。かかる場合、検者は、ジョイスティック９を操作して、測定部８をＺ方向（前後方向）に移動させる。これによって、混濁部位Ｋを鮮明に表示させることができる。
【００４０】
また、光源１１から出射された照明光が、被検眼Ｅの角膜頂点付近に照射されると、照明光の角膜反射によって、画像の中に輝点（角膜反射像）ＳＰが映りこむ場合がある。照明光の照射位置が角膜頂点に近づくほど、照明光の光束と、その光束と角膜における照明光の照射される領域とのなす角が、垂直に近づく。よって、照明光の照射位置が角膜頂点に近づくほど、観察光学系５０に入射する角膜反射の光量が増えるからである。この角膜反射像ＳＰによって、例えば、混濁部位Ｋが隠れてしまうおそれがある。角膜反射像ＳＰは、例えば、照明光の光量を下げることによって、画像の中に映りこみ難くすることができる。また、照明光の照射位置（本実施形態では、観察光軸の通過位置）を角膜頂点から離すことによっても、画像の中に角膜反射像ＳＰを映りこみ難くすることができる
。このように、角膜反射像ＳＰの影響が抑制されることで、角膜Ｅｃよりも網膜側が可視できる瞳孔内領域が拡大（増大）される。
【００４１】
図３に示すように、モニタ７０の右下領域Ｖには、光源１１から出射される照明光の光量を示す、光量レベルが表示される。なお、本実施形態において、光源１１の光量レベルは、「０」〜「２５５」の２５６段階に分かれている。「０」は、光源１１から光が照射されない状態の光量を示す値である。光量レベルの値が大きいほど、光源１１から出射される照明光の光量が多くなる。この光量レベルを示すためのデータは、ＲＡＭ１０３内の所定領域に格納される。なお、本実施形態では、光源１１の光量レベルを、数字でモニタ７０上に示す場合について説明するが、その他の態様によって、光量レベルを示しても良い。例えば、数字の代わりに目盛りをモニタ７０に表示させることで光量レベルを示しても良い。また、数字の代わりに光源１１を模したランプ等の図形をモニタ７０に表示させ、その図形の色の変化で、光量レベルを示しても良い。
【００４２】
＜自動調光モード＞
本実施形態では、制御部１００は、徹照像観察モードに移行した場合は、まず、自動調光モードで、光源１１の光量を制御する。自動調光モードは、観察光学系５０で撮像される画像の画像情報に基づいて、光源１１から出射される照明光の光量を調節するモードである。制御部１００において以下の自動調光処理が実行されることによって、自動調光モードの制御が行われる。
【００４３】
ここで、図４を参照して、自動調光処理について説明する。自動調光処理では、まず、ＣＰＵ１０１は、撮像素子５２で撮像される画像を取得する処理を行う（Ｓ１１）。ここでは、ＣＰＵ１０１は、撮像素子５２の受光結果に基づく画像データを、ＲＡＭ１０３内の所定領域に記憶させる（Ｓ１１）。なお、本実施形態では、１／６０秒経過毎に到来する撮像素子５２の撮像タイミングと同期して、Ｓ１１の処理が実行される。
【００４４】
次に、ＣＰＵ１０１は、第１調節処理を実行する（Ｓ１２）。第１調節処理（Ｓ１２）では、ＣＰＵ１０１は、Ｓ１１の処理によって取得された画像データを解析し、その解析の結果に応じて光源１１からの出力を変更させる。
【００４５】
ここで、図５を参照して、第１調節処理（Ｓ１２）について説明する。第１調節処理において、まず、ＣＰＵ１０１は、Ｓ１１の処理で取得された画像を解析し、高輝度画素および低輝度画素を、領域Ｂｉと、領域Ｂｏとのそれぞれについてカウントする（Ｓ２１）。ここで図６に示すように、領域Ｂｉは、光軸通過位置Ａｘの近傍領域である。また、領域Ｂｏは、領域Ｂｉよりも光軸通過位置Ａｘから離れた領域であって、領域Ｂｉの周辺に位置する。本実施形態において、領域Ｂｉ、領域Ｂｏは、それぞれ、光軸通過位置Ａｘを中心とした直径２ｍｍの円の内側領域、外側領域として設定される。本実施形態では、被検眼角膜Ｅｃ上における照明光のビーム径は、２ｍｍ程度である。このため、本実施形態において、領域Ｂｉは、光源１１からの照明光が照射される領域であり、角膜反射による輝点は、ほぼ領域Ｂｉ内に生じる。
【００４６】
本実施形態では、撮像素子５２で撮像される画像に含まれる各画素の輝度値は、「０（黒）」〜「２５５（白）」の２５６段階で示される。Ｓ２１の処理では、輝度値が「２０１」〜「２５５」までの画素が、高輝度画素とされる。本実施形態において、高輝度画素の輝度値の範囲は、角膜反射像ＳＰを構成する画素の輝度値が含まれるように設定されている。一方、輝度値が「５１」〜「２００」までの画素が、低輝度画素とされる。本実施形態において、低輝度画素の輝度値の下限「５１」は、眼底反射光に照明された瞳孔内領域における混濁の無い部位の最低輝度値が含まれるように設定されている。なお、本実施形態において、照明光が照射されていない瞳孔外の領域（図３に示す瞳孔外でハッチングされた領域）に含まれる画素の輝度値は、「３０」程度である。このため、瞳孔外の照明光が照射されていない領域は、Ｓ２１の処理において、高輝度画素および低輝度画素のいずれにもカウントされない。
以下の説明において、領域Ｂｉに含まれる高輝度画素の画素数、低輝度画素の画素数、および、領域Ｂｏに含まれる高輝度画素の画素数、低輝度画素の画素数、をそれぞれ、ＩＨ、ＩＬ、および、ＯＨ、ＯＬと表記する。
【００４７】
次に、ＣＰＵ１０１は、Ｓ２２〜Ｓ３０の処理を実行し、Ｓ２１の処理でカウントされたＩＨ、ＩＬ、ＯＨ、ＯＬの値に応じた調節量で、光源１１の光量を調節する。
【００４８】
まず、Ｓ２２の処理によって、ＣＰＵ１０１は、条件「ＩＨ＞２００、且つ、ＯＨ＞１０００、且つ、ＯＬ＜５００」が成立するか判定する（Ｓ２２）。この条件が成立する場合は、例えば、混濁部位Ｋとそれ以外の部位との区別が困難になるほど、照明光の光量が高められていると考えられる。例えば、瞳孔内に照射される照明光の光量が著しく多く、それ故、瞳孔全体を照明する眼底反射光の光量が多くなる場合には、混濁部位Ｋにおける輝度値と、混濁部位Ｋ以外の瞳孔内領域の輝度値とが、それぞれ撮像信号の飽和レベル（即ち、輝度値「２５５」）付近となって、それぞれの部位を区別し難くなってしまうことが考えられる。そこで、本実施形態では、条件「ＩＨ＞２００、且つ、ＯＨ＞１０００、且つ、ＯＬ＜５００」が成立する場合は（Ｓ２２：ＹＥＳ）、ＲＡＭ１０３内の光量レベルがＣＰＵ１０１によって「−３」されて更新される（Ｓ２３）。Ｓ２３の処理の実行後は、第１調整処理をリターンして、自動調光処理に戻る。
【００４９】
一方、Ｓ２２の処理によって、条件「ＩＨ＞２００、且つ、ＯＨ＞１０００、且つ、ＯＬ＜５００」が成立していないと判定された場合は（Ｓ２２：ＮＯ）、ＣＰＵ１０１によって、条件「ＩＨ＞５０」が成立しているか判定される（Ｓ２４）。条件「ＩＨ＞５０」は、例えば、画像における領域Ｂｉに、検者が観察できる程度の角膜反射像ＳＰが生じている場合に成立すると考えられる。
前述したように、本実施形態では、角膜反射像ＳＰは領域Ｂｉに生じ易いので、領域Ｂｉの中にある高輝度画素が所定の閾値（すなわち、本実施形態では「５０」）より多ければ、画像の中に角膜反射像ＳＰが生じている可能性があると考えられるからである。従って、条件「ＩＨ＞５０」が成立する場合は（Ｓ２４：ＹＥＳ）、Ｓ２５の処理によって、ＣＰＵ１０１にＲＡＭ１０３内の光量レベルを「−１」させる（Ｓ２５）。Ｓ２５の処理の実行後は第１調節処理を終了し、Ｓ１２の処理に進む。
【００５０】
Ｓ２４の処理によって、条件「ＩＨ＞５０」が成立していないと判定された場合は（Ｓ２４：ＮＯ）、角膜反射像ＳＰが画像の中に無い場合である。上述したように、角膜反射像ＳＰは、領域Ｂｉの中に生じると考えられるからである。条件「ＩＨ＞５０」が成立していないと判定された場合は（Ｓ２４：ＮＯ）、ＣＰＵ１０１は、条件「ＩＬ＞５０、且つ、ＯＬ＞５０」が成立しているか判定する（Ｓ２６）。条件「ＩＬ＞５０、且つ、ＯＬ＞５０」は、例えば、照明光が瞳孔内に照射されている場合に成立すると考えられる。照明光が瞳孔内に照射されると、眼底反射光によって瞳孔内全体が照明される。このため、本実施形態では、瞳孔と比べて十分小さく照明光の照射されるである領域Ｂｉだけでなく、領域Ｂｉを囲む領域Ｂｏにも、瞳孔の周囲に比べて輝度値の高い画素が含まれると考えられるためである。
【００５１】
画像の中に角膜反射像ＳＰが無く、且つ、瞳孔内に照明光が照射されている場合に、ＣＰＵ１０１によって、条件「ＩＬ＞５０、且つ、ＯＬ＞５０」が成立すると判定される（Ｓ２６：ＹＥＳ）。かかる場合は、Ｓ２７の処理に移行し、ＣＰＵ１０１によって、ＲＡＭ１０３内の光量レベルが「＋１」される（Ｓ２７）。Ｓ２７の処理の実行後は、第１調節処理を終了し、Ｓ１２の処理に進む。
【００５２】
一方、Ｓ２６の処理によって条件「ＩＬ＞５０、且つ、ＯＬ＞５０」が成立していないと判定された場合は（Ｓ２６：ＮＯ）、例えば、照明光が瞳孔内に照射されていない可能性があると考えられる。また、照明光の光量が少ないという可能性もあると考えられる。この場合は（Ｓ２６：ＮＯ）、ＣＰＵ１０１によって、条件「ＩＬ＞５０」が成立しているか判定される（Ｓ２８）。Ｓ２６の判定条件「ＩＬ＞５０、且つ、ＯＬ＞５０」が成立せず、且つ、条件「ＩＬ＞５０」が成立しない場合（Ｓ２８：ＮＯ）には、反射対象物が存在しなかったり、照明光の光量が著しく少なかったりする場合であることが考えられる。この場合は、照明光が瞳孔に照射される場合に、瞳孔内部を速やかに明るく照明するため、ＣＰＵ１０１は、ＲＡＭ１０３内の光量レベルを「＋５」する（Ｓ３０）。一方、条件「ＩＬ＞５０」が成立する場合は（Ｓ２８：ＹＥＳ）、少なくとも領域Ｂｉ内に存在する反射対象物によって、照明光が反射されていると考えられる。そこで、ＣＰＵ１０１は、ＲＡＭ１０３内の光量レベルを「＋３」する（Ｓ２９）。Ｓ２９，Ｓ３０の処理の実行後は、第１調節処理を終了し、Ｓ１２の処理に進む。
【００５３】
以上に示したように、第１調節処理では、撮像素子５２で撮像される画像の中に角膜反射像が生じていると判定される場合に（Ｓ２４：ＹＥＳ）、照明光の光量レベルが下げられる。また、撮像素子５２で撮像される画像の中に角膜反射像が生じていないと判定された場合は（Ｓ２４：ＮＯ）、照明光の光量レベルが高められる。このようにして、角膜反射像ＳＰによる影響が抑制される範囲で(つまり、角膜反射像に含まれる画素と同程度の輝度値の画素が、画像の中で一定数未満となる範囲に、制御部位１００が照明光の光量を制御しつつ)、被検眼Ｅに照射される照明光の光量を、可能な限り高めることができる。
【００５４】
また、第１調節処理では、撮像素子５２で撮像される画像に、角膜反射像ＳＰが生じているか否かの判定が、領域Ｂｉに含まれる高輝度画素の数に基づいて行われる（Ｓ２４）。仮に、領域Ｂｉおよび領域Ｂｏを区別することなく、画像全体に含まれる高輝度画素の数に基づいて照明光の光量を制御すると、次の問題が生じる。例えば、角膜反射像ＳＰが生じている場合と、角膜反射像ＳＰを生じずに瞳孔内の広範囲が高い光量で照明されている場合とのそれぞれで、被検眼Ｅに対する照明光の照射位置および被検眼Ｅのうち少なくとも一方と、照明光の光量と、が互いに異なることによって、高輝度画素の位置の分布は異なっていても、画像全体に含まれる高輝度画素の数が同程度となってしまうときがある。このとき、前者の場合において角膜反射像ＳＰの影響が抑制されるように、画像全体に含まれる高輝度画素の数に基づいて照明光の光量を低下させようとすると、もともと角膜反射像ＳＰの生じていない後者の場合にも照明光の光量が低下してしまう。このように、領域Ｂｉおよび領域Ｂｏを区別することなく、画像全体の高輝度画素の数に基づいて照明光の光量を制御すると、角膜反射像ＳＰの影響を抑制することと、被検眼Ｅに照射される照明光の光量を可能な限り高めることとを、必ずしも両立できない場合がある。
【００５５】
一方、領域Ｂｉは、瞳孔全体に比べて小さな領域であって、角膜反射像ＳＰが領域Ｂｏに比べて生じ易い領域である。よって、領域Ｂｉに含まれる画素の輝度値には、瞳孔全体よりも、角膜反射の影響が大きく作用する。このため、瞳孔全体に含まれる画素の輝度値に基づいて角膜反射像ＳＰの有無を判定する場合よりも、領域Ｂｉの輝度値に基づいて判定した場合のほうが、より正確に角膜反射像ＳＰの有無を判定できる。よって、上記の第１調節処理によれば、光源１１から照射される照明光の光量を、角膜反射像の影響が抑制できる範囲で、好適に調節することができる。
【００５６】
また、被検眼Ｅの瞳孔外に照明光が照射されているときに照明光の光量が低く調整され、その光量で瞳孔内に照明光が照射されると、照明光の眼底反射光によって、瞳孔内を明るく照明できない場合がある。この場合は、例えば、瞳孔内に照明光を位置決めすることが難しくなってしまうおそれがある。また、画像の中の混濁部位Ｋとそれ以外の部位とのコントラストが低くなるおそれがある。更に、光量を調節するために時間がかかってしまうおそれがある。
【００５７】
これに対し、第１調節処理では、瞳孔内に照明光が照射されているか否かを、照明光の眼底反射光に基づく画像の解析結果（即ち、照明光の眼底反射光の解析結果）に基づいて判定する（Ｓ２６）。より具体的には、瞳孔径よりも小さな照明光の照射位置近傍の領域Ｂｉから得られる反射光と、領域Ｂｉの周囲の領域Ｂｏとから得られる反射光とが、それぞれの領域について設定した条件（本実施形態では、領域Ｂｉについては、条件「ＩＬ＞５０」、領域Ｂｏについては、条件「ＯＬ＞５０」）を、共に満たしているか否かに基づいて判定する。そして、瞳孔内に照明光が照射されていないおそれがあると判定される場合は（Ｓ２６：ＮＯ）、ＣＰＵ１０１が、照明光の光量レベルを「+３」または「+５」だけ増加させる。この場合は、瞳孔内に照明光が照射されていると判定される場合と比べて、光量レベルが、より多く増加される。つまり、本実施形態では、瞳孔内に照明光が照射されていないおそれがあると判定される場合は、瞳孔内に照明光が照射されていると判定される場合よりも、照明光の光量を増加させ易くしている。よって、本実施形態の眼科装置１は、被検眼Ｅの瞳孔外に照明光が照射され、その後に照明光が瞳孔内に照射される場合に、照明光の眼底反射光によって瞳孔内をより明るく照明することができる。
【００５８】
このように、上記第１調節処理では、瞳孔内に照明光が照射されていないおそれがあると判定される場合は、瞳孔内に照明光が照射されていると判定される場合よりも、光量レベルの増加量を高めることで、照明光の光量が減少され難くする制御を実現した。これに限らず、瞳孔内に照明光が照射されていないおそれがあると判定される場合は、瞳孔内に照明光が照射されていると判定される場合よりも、光量レベルの減少量を低下させることで、照明光の光量が減少され難くする制御を実現することもできる。例えば、Ｓ２４の処理によって、条件「ＩＨ＞５０」が成立したと判定された場合に（Ｓ２４：Ｙｅｓ）、条件「ＯＬ＞５０」が成立するか否かの判定をＣＰＵ１０１に実行させる。そして、条件「ＯＬ＞５０」が成立すると判定された場合に、照明光の光量レベルを「−２」だけ変更し、条件「ＯＬ＞５０」が成立しないと判定された場合に、照明光の光量レベルを「−１」だけ変更させる。条件「ＯＬ＞５０」が成立する場合は、照明光が瞳孔内に照射されている可能性がある場合であると考えられる。また、条件「ＩＨ＞５０」が成立しているので、条件「ＯＬ＞５０」が成立しない場合は、照明光の光量は十分に確保されているものの、瞳孔外に照射されている場合であると考えられる。この場合は、瞳孔内に照明光が照射されていると判定される場合よりも、光量レベルの減少量（調節量の絶対値）が低下される。よって、このような眼科装置においては、被検眼Ｅの瞳孔外に照明光が照射され、その後に照明光が瞳孔内に照射される場合に、瞳孔内に十分な光量の照明光を照射しやすい。なお、この眼科装置では、条件「ＯＬ＞５０」が成立しないと判定された場合の調節量を「０」としても良い。このように、瞳孔内に照明光が照射されていないおそれがあると判定される場合における光量レベルの調節量を、瞳孔内に照明光が照射されると判定される場合における調節量よりも正方向に位置する値に設定してもよい。
【００５９】
図４に戻って説明を続ける。第１調節処理（Ｓ１２）の実行後は、ＣＰＵ１０１によって、第２調節処理（Ｓ１３）が実行される。第２調節処理（Ｓ１３）は、光源１１から出射される測定光の光量を、予め定められた範囲内に調節するための処理である。
【００６０】
ここで、図７を参照して、第２調節処理について説明する。第２調節処理では、まず、ＣＰＵ１０１は、ＲＡＭ１０３内の測定光の光量レベルが、「２００」よりも大きくなっているか判定する（Ｓ３１）。光量レベルが「２００」よりも大きいと判定された場合は（Ｓ３１：ＹＥＳ）、光量レベルが格納されるＲＡＭ１０３内の領域に、「２００」をセットする（Ｓ３２）。この処理によって、光源１１の光量レベルが「２００」を超えないように規制される。
【００６１】
前述したように、本実施形態のＣＰＵ１０１は、光量の最も少ない「０」から光量の最も多い「２５５」までの２５６段階の光量レベルで、光源１１から出射される光量を制御できる。しかし、照明光の光量が高過ぎると、前述したように、混濁部位Ｋと、それ以外の瞳孔内の部位との区別が難しくなるおそれがある。また、測定光の光量が高いほど、明るさを被験者に感じさせてしまい易い。よって、照明光の光量が高過ぎると、瞳孔が縮瞳されてしまったり、測定光から被検眼が逸らされたりして、検査が中断される原因となり得る。これに対し、本実施形態では、ＣＰＵ１０１が、光源１１から出射される測定光の光量レベルが「２００」を超えないように規制する。このため、混濁部位Ｋと、それ以外の瞳孔内の部位とを区別できる画像が、眼科装置１で得られ易くなる。また、撮像時において、被験者に明るさを感じさせ難くすることができる。Ｓ３２の処理の実行後は、第２調節処理を終了し、Ｓ１４の処理に進む。
【００６２】
Ｓ３１の処理によって、光源１１の光量レベルが「２００」以下であると判定された場合に（Ｓ３１：ＮＯ）、ＣＰＵ１０１は、ＲＡＭ１０３に格納された光源１１の光量レベルが「８０」より少ないか否かを判定する（Ｓ３３）。Ｓ３３の処理によって、光量レベルが「８０」より少ないと判定された場合は（Ｓ３３：ＹＥＳ）、光量レベルが格納されるＲＡＭ１０３内の領域に「８０」をセットする（Ｓ３４）。そして、第２調節処理を終了し、Ｓ１４の処理に進む。この処理によって、光源１１の光量レベルが「８０」を下回らないように規制される。本実施形態では、これによって、画像内の混濁部位Ｋと、それ以外の部位とが判別できなくなる程まで、照明光の光量が低減されてしまうことを抑制できる。
【００６３】
一方、Ｓ３３の処理によって、光量レベルが「８０」以上と判定された場合は（Ｓ３３：ＮＯ）、第２調節処理を終了し、Ｓ１４の処理に進む。この場合（Ｓ３３：ＮＯ）は、ＲＡＭ１０３に格納される光量レベルは、第２調節処理によって変更されない。
【００６４】
図４に戻って説明を続ける。第２調節処理（Ｓ１３）の実行後は、ＣＰＵ１０１は、ＲＡＭ１０３に格納された光量レベルに応じた光量で、光源１１を点灯させる（Ｓ１４）。即ち、第１調節処理（Ｓ１２）および第２調節処理（Ｓ１３）によって調節された光量で、光源１１が点灯される。
【００６５】
次のＳ１５処理では、ＣＰＵ１０１は、ＲＡＭ１０３に格納された光量レベルを示す数字の画像データをモニタ７０へ出力する。これにより、モニタ７０の右下領域Ｖに、ＲＡＭに格納される光量レベルを示す数字が表示される（図３参照）。
【００６６】
次に、操作部９０の光量調節モード切替スイッチ９０ｂの操作が行われたか否かが、ＣＰＵ１０１によって判定される（Ｓ１６）。スイッチ９０ｂに対して操作が入力されていなければ（Ｓ１６：ＮＯ）、ＣＰＵ１０１は、Ｓ１１の処理に戻って、Ｓ１１からＳ１６の処理を繰り返し実行する。
【００６７】
一方、スイッチ９０ｂに対して操作が入力されたと判定される場合は（Ｓ１６：ＹＥＳ）、ＣＰＵ１０１は、手動調光処理（Ｓ４０）を実行する。これにより、光源１１の光量の制御モードが、手動調光モードへ移行される。
【００６８】
＜手動調光モード＞
手動調光モードは、操作部９０に対する操作に応じて、光源１１から出射される光量を調節するモードである。制御部１００において以下の手動調光処理が実行されることによって、手動調光モードの制御が行われる。
【００６９】
ここで、図８を参照して、手動調光処理について説明する。手動調光処理では、まず、光量増加スイッチ９０ｃ又は光量減少スイッチ９０ｂが操作された否かが、ＣＰＵ１０１によって判定される（Ｓ４１）。スイッチ９０ｃ又はスイッチ９０ｄが操作されたと判定された場合（Ｓ４１：ＹＥＳ）、ＣＰＵ１０１は、操作に応じた値を、ＲＡＭ１０３内に格納される光量レベルに反映させる（Ｓ４２）。例えば、本実施形態では、光量を増加させる操作が入力されている場合は、ＣＰＵ１０１は、ＲＡＭ１０３内の光量レベルを１加算して更新する。また、光量を減少させる操作が入力されている場合は、ＣＰＵ１０１は、ＲＡＭ１０３内の光量レベルを１減算して更新する。Ｓ４２の実行後は、第２調節処理（Ｓ４３）を実行する。この第２調節処理（Ｓ４３）は、自動調光処理の中で行われるＳ１３の処理と同様の処理（図７参照）であるため、詳細な説明は省略する。次に、ＣＰＵ１０１は、ＲＡＭ１０３に格納された光量レベルに応じた光量で、光源１１を点灯させる（Ｓ４４）。
【００７０】
一方、Ｓ４１の処理によって、スイッチ９０ｃおよびスイッチ９０ｄのいずれも操作されていないと判定された場合は（Ｓ４１：ＮＯ）、Ｓ４２，Ｓ４３の処理をスキップして、Ｓ４４の処理を実行する。これにより、ＣＰＵ１０１は、事前にＲＡＭ１０３に格納された光量レベルに応じた光量で、光源１１を点灯させる（Ｓ４４）。
【００７１】
Ｓ４４の処理で参照されるＲＡＭ１０３内の光量レベルは、自動調光モードから手動調光モードに切り替えられた直後であれば、予め自動調光処理（Ｓ１０）によって調節された値となっている。つまり、自動調光処理によって調節された照明光の光量が、手動調光処理で調節される照明光の初期値として引き継がれる。
【００７２】
次のＳ４５処理では、ＣＰＵ１０１は、ＲＡＭ１０３に格納された光量レベルに応じた画像データを、モニタ７０へ出力する。かかる処理によって、自動調光処理と同様に、モニタ７０の右下領域Ｖに、ＲＡＭに格納される光量レベルを示す値が表示される（図３参照）。
【００７３】
従来の眼科装置は、被検眼に投光される照明光の光量が自動的に調節された後に、更に、手動で照明光の光量を調節する場合に、予め自動的に調節された光量を、手動で照明光の光量を調節する際に利用できなかった。このため、照明光の光量が事前に自動で調節されていたか否かに拘わらず、手動で照明光の光量を調節する場合は、検者が一から調節を行っていた。よって、照明光の光量を調節するための操作が、検者にとって大きな負担となってしまう場合があった。
【００７４】
特に、中間透光体の混濁の度合いは、被検者の加齢と共に増加する傾向がある。照明光、および眼底反射光は、混濁によって遮られてしまう。このため、眼底反射光によって混濁の形状を正確に映し出すためには、中間透光体の混濁度合いが高い場合ほど、照明光の光量を高めて観察することが好ましい。そこで、徹照像撮像においては、混濁の進行度合いに応じて、光源から出射される照明光の光量を大きく切り替えて撮像が行われる。よって、徹照像を撮像するために、照明光の光量を検者が一から手動で調節すると、照明光量の調節操作に対する検者の操作負担が特に大きくなる場合があった。
【００７５】
これに対し、本実施形態の眼科装置１によれば、自動調光モードから手動調光モードに切り替わった場合に、自動調光モードにおいて光源１１から投光される照明光の光量が、手動調光モードにおける照明光の光量の初期値として引き継がれる。自動調光モードにおいて、予め照明光の光量が自動的に調節されるので、手動で光量を調節する際の検者の操作負担が低減される。また、手動調光モードでは、自動調光モードで調節された照明光の光量を基準として、検者自身が所望する光量に照明光の光量を調節できる。よって、本実施形態の眼科装置１は、被検眼Ｅを撮影するための照明光の光量調節を、検者に容易に行わせることができる。また、照明光の光量調節を広い範囲で行う、徹照像の撮影であっても、本実施形態の眼科装置１は、照明光量の調節操作に対する検者の操作負担を抑制することができる。
【００７６】
また、従来の眼科装置では、被検眼に投光される照明光の光量が自動で調節されるモードから、手動で調節されるモードに切り替えられる場合に、モードの切り替えの前後で、照明光の光量を示す情報が検者に示されていなかった。このため、照明光の光量を検者が手動で調節する場合に、事前に自動で調節された照明光の光量を目安にして、検者の所期する光量に調節することが難しい場合があった。
【００７７】
これに対し、本実施形態の眼科装置１によれば、図３に示すように、被検眼Ｅに照射される照明光の光量を示す光量レベルが、自動調光モードおよび手動調光モードのいずれのモードであってもモニタ７０に表示される。このため、手動調光モードでは、自動調光モードにおいてモニタ７０に表示された光量情報を目安にしながら、照明光の光量を手動で変更できる。よって、照明光の光量を、検者の所期する光量に、いっそう容易に調節させることができる。
【００７８】
なお、眼科装置１では、自動調節モードから手動調節モードに切り替えられた場合に、自動調節モードにおいて最終的に調節された照明光の光量レベルを、手動調節モードにおける光量レベルとあわせて、引き続き表示させてもよい。この場合、検者は、自動調節モードにおいて最終的に調節された照明光の光量レベルを、手動で調節した光量レベルといつでも比べることができる。このため、照明光の光量を、検者がいっそう調節し易くなる。
【００７９】
＜混濁判定＞
眼科装置１では、上記の処理によって照明光の光量が調節されたうえで撮像された徹照像に対して画像処理を行い、被検眼Ｅの中間透光体における混濁の有無、および、混濁の程度を判定する。以下、具体的な判定方法について説明する。
【００８０】
制御部１００は、瞳孔内領域の外側エッジを検出し、その外側エッジで囲まれる領域の各画素の輝度値を検出していく。制御部１００は、検出された輝度値が所定の閾値以下であるか否かを判定することによって、各画素が、混濁部位Ｋおよび混濁の無い部位のいずれに対応するものかを判定する。なお、この判定に用いられる輝度値の閾値は、検者によって事前に設定できるものであってもよい。制御部１００は、画素の輝度値が所定の閾値以下である場合には、その画素が混濁部位Ｋに対応するものであると判定する。一方、画素の輝度値が所定の閾値より大きい場合には、その画素が混濁の無い部位に対応していると判定する。制御部１００は、外側エッジで囲まれた全画素（即ち、瞳孔内領域の全画素）に対して、上記の判定処理を行う。そして、例えば、全画素または混濁の無い部位の画素と、混濁部位Ｋに対応する画素との画素数の比率に応じて、中間透光体における混濁の有無、および、混濁の程度を判定する。なお、このとき、眼科装置１で行われる判定は、中間透光体における混濁の有無、および、混濁の程度に関する判定のうち、一方だけを行ってもよい。
【００８１】
本実施形態の眼科装置１では、前述したように、被検眼Ｅに照射される照明光の光量が、一旦は自動調光モードで調節されることによって、角膜反射像ＳＰによる影響が抑制される範囲で、照明光の光量が可能な限り高められる。このため、眼科装置１では、角膜反射像ＳＰによる影響が抑制された高階調の徹照像が得られ易い。それ故、眼科装置１では、混濁部位Ｋと、混濁の無い部位とのコントラストを明確にできる。よって、混濁部位Ｋと、混濁の無い部位とを、低階調の徹照像と比べて正確に区別することができる。従って、本実施形態の眼科装置１では、混濁に関する判定によって、精度の高い判定結果が得られ易い。
【００８２】
以上、実施形態に基づき説明したが、本発明は、上記実施形態に限定されることなく、様々な変形が可能であることは勿論である。
【００８３】
例えば、上記実施形態では、撮像素子５２で撮像された徹照像に含まれる各画素の輝度値に基づいて、被検眼Ｅに照射する照明光の光量を調節する場合について説明した。しかし、照明光の光量を、徹照像に含まれる各画素の輝度値以外の画像情報に基づいて調節することができる。例えば、徹照像に含まれる各画素の色相および彩度等の画像情報に基づいて照明光の光量を調節してもよい。また、必ずしも、撮像素子５２で撮像された徹照像の画像情報に基づいて、光源１１からの照明光の光量を制御させなくても良い。かかる場合は、例えば、撮像素子５２とは別体の多分割ＳＰＤ（Silicon Photo Diode）を、眼科装置内に設けた変容例によって、本発明が実現される。より具体的には、撮像素子５２より被検眼Ｅ側の光軸Ｌ４上に、ハーフミラー等を設け、光軸Ｌ４から光路を分岐させる。そして、光軸Ｌ４から分岐した光路に、多分割ＳＰＤを設ける。上記実施形態の図６に示した徹照像の領域Ｂｉおよび領域Ｂｏに対応する領域を、多分割ＳＰＤの受光面上に定める。多分割ＳＰＤにおける領域Ｂｉの対応領域の受光結果と、領域Ｂｏの対応領域の受光結果との組み合わせに応じて、光源１１から被検眼Ｅに照射する照明光の光量を調節する。このような変容例であっても、上記実施形態と同様の効果がある。
【００８４】
上記実施形態においては、光源１１から被検眼Ｅに出射される照明光は、観察光軸と重なって被検眼Ｅに照明されるものとして説明したが、照明光の光束が、観察光軸Ｌ４上から離れて照射されても良い。例えば、光源１１から被検眼Ｅまでの光路上に、偏心回転するプリズムを設けた、いわゆるロータリープリズム方式のオートレフラクトメータにも、本発明を適用できる。この場合、被検眼Ｅの角膜Ｅｃに照射される照明光の軌跡が、観察光軸を中心とするリング状になる。そこで、リング状の照明光の軌跡を含む範囲を、光軸近傍の領域Ｂｉとし、それよりも光軸から離れた領域を領域Ｂｏとすればよい。この変容例に限らず、領域Ｂｉの形状、大きさ等は、照明光の断面形状、光束の拡散する度合い等に応じて、適宜設定すればよい。
【００８５】
上記実施形態においては、眼科装置１は、眼屈折力測定を行う構成を併せ持つものとして説明したが、本発明を実施するうえで、眼屈折力測定を行うための構成（例えば、受光光学系１０ｂと、視標呈示光学系３０と、作動距離指標投影光学系４６）は、必ずしも設けなくても良い。また、本発明は、眼屈折力測定を行うための眼科装置以外に適用することもできる。例えば、徹照像等の前眼部像が撮影される角膜形状測定装置および眼軸長測定装置等に対して、本発明を適用できる。なお、各装置で撮像される前眼部像としては、照明光の眼底反射光に基づいて撮像が行われる徹照像に限られるものではなく、照明光の前眼部反射光等に基づいて撮像された画像であってもよい。
【００８６】
また、眼底画像が撮影される眼底カメラおよびＳＬＯ等の眼底観察装置に対して、本発明を適用することができる。例えば、照明光の光量を自動で調節するモードから、照明光の光量を手動で調節するモードへ切り替え可能に構成された眼底観察装置において、かかるモードの切り替えの前後で、予め自動的に調節された照明光の光量を、手動で調節される光量の初期値として引き継がれるように構成すればよい。その場合も、上記実施形態と同様に、照明光の光量調節を、検者に容易に行わせることができるという効果がある。また、照明光の光量レベルを、モニタ等に表示されることもできる。
【００８７】
ここで、被検眼の観察時と撮影時（キャプチャ時）とで、被検眼に対し照明光を出射する光源を、２種類使い分ける場合には、調節された観察用光源の光量レベルを、所定の計算式で補正したうえで、撮影用光源の光量の初期値となるようにすればよい。観察用光源の光量を、自動から手動へと切り替えて速やかに検者の所期する光量に調節できる。また、撮影は、観察時に調節された光量に応じた光量で行われるので、検者の操作負担が低減される。
【００８８】
また、ＳＬＯに例示される、被検眼の組織上を走査させた照明光の反射光を受光させることによって被検眼画像を得る眼科装置では、次のように構成してもよい。すなわち、照明光の光量を、被検眼画像の画像情報に基づいて調節させるのではなく、反射光を受光する受光素子の受光強度に基づいて調節させてもよい。
【００８９】
また、上記実施形態では、自動調光モードにおいて、照明光が瞳孔内および瞳孔外のいずれに照射されているかについての判定を、領域Ｂｉおよび領域Ｂｏの各々の領域についての輝度分布に基づいて行う場合について説明した（Ｓ２６）。瞳孔内に照明光が照射されているか否かの判定は、照明光の反射光の解析結果に基づいて行えばよく、上記実施形態の方法に限られるものではない。例えば、撮像素子５２で撮像される画像の中で瞳孔の位置を、瞳孔内領域と、瞳孔外の領域を区分けするエッジ抽出等の画像処理を行って特定し、その領域内に、光軸通過位置Ａｘが含まれるか否かを判定することによって、照明光が瞳孔内および瞳孔外のいずれに照射されているかを判定することができる。上記実施形態においては、徹照像の撮影中は、瞳孔内に照明光が照射されていなければ、瞳孔のエッジを抽出できない。そこで、一旦リング指標投影光学系４５を点灯させる等して、瞳孔のエッジを抽出するための画像を撮像すればよい。また、光源１１しか点灯していない状況下において、瞳孔のエッジを抽出できない状況を、照明光が瞳孔外に照射されている場合と判定してもよい。
【００９０】
また、本実施形態では、被検眼画像として、動画を撮影する場合について説明したが、静止画像を撮影する場合にも本発明を適用することができる。
【００９１】
また、上記実施形態で説明した処理のうち、一部のみを眼科装置に適用することもできる。例えば、自動調光モードから手動調光モードへの切換えに関する処理を行わずに、自動調光モードにおける処理だけを行ってもよい。
【符号の説明】
【００９２】
１                眼科装置
１０ａ            投光光学系
１０ｂ            撮像光学系
１００            制御部
Ｓ１０            自動調光処理
Ｓ４０            手動調光処理
【図１】
2014195617.tif 000003
【図２】
2014195617.tif 000004
【図３】
2014195617.tif 000005
【図４】
2014195617.tif 000006
【図５】
2014195617.tif 000007
【図６】
2014195617.tif 000008
【図７】
2014195617.tif 000009
【図８】
2014195617.tif 000010